(57)【要約】【課題】小型のディスプレイであっても、自動表示メッセージを見易くかつ効果的に確認することができるように表示可能な、車載用のデジタル放送受信機を提供する。【解決手段】放送局側で指定された自動表示メッセージを含むデジタル放送を受信する車載用デジタル放送受信機において、自動表示メッセージを受信すると表示画面を分割し、分割画面の一方に自動表示メッセージの受信を示す表現を表示させる表示制御部を設けることにより、分割画面の一方で自動表示メッセージの受信を報知し、分割画面の他方で通常のプログラムの継続表示を可能とする。【選択図】図３
2008066768.tif 000002
【特許請求の範囲】
【請求項１】
放送局側で指定された自動表示メッセージを含むデジタル放送を受信する車載用デジタル放送受信機において、
前記自動表示メッセージを受信すると表示画面を分割し、分割画面の一方に自動表示メッセージの受信を示す表現を表示させる表示制御部を備えることを特徴とする、車載用デジタル放送受信機。
【請求項２】
請求項１に記載の車載用デジタル放送受信機において、前記表示制御部は、当該受信機を搭載した車両が停止状態にある場合に、受信したメッセージ内容の前記分割画面上への表示を許可することを特徴とする、車載用デジタル放送受信機。
【請求項３】
請求項２に記載の車載用デジタル放送受信機において、前記表示制御部は、当該受信機を搭載した車両が走行状態にある場合、受信したメッセージ内容を音声案内することを特徴とする、車載用デジタル放送受信機。
【発明の詳細な説明】
【技術分野】
【０００１】
本発明は、車載用デジタル放送受信機に関し、特に、放送局側で作成された自動表示メッセージを表示可能な車載用デジタル放送受信機に関する。
【背景技術】
【０００２】
衛星デジタル放送および地上波デジタル放送では、従来のアナログ放送で行われてきた映像および音声の送信に加えて、放送事業者から自動表示メッセージを送信することが可能である。自動表示メッセージには、放送事業者が視聴者、即ちユーザ全員に対して送信するもの、あるいは特定のユーザに対してのみ送信するものがある。例えば、全国的なニュース速報などはユーザ全員に対して送信される。地域的あるいは局地的な気象情報などは、対象地域のユーザに対して送信される。また、自動表示メッセージとして広告を表示する場合は、全国的な広告であればユーザ全員に対して、特定の地域を対象とした広告であればその地域のユーザに対して送信される。自動表示メッセージには、さらに、受信者側でそのメッセージを消去できないものと消去可能なものがある。例えば、気象警報に関する情報などはユーザ側で消去することができず、一方、ニュース速報などはユーザの意思で消去が可能である。
【０００３】
送信された自動表示メッセージは、ユーザ側に設置されたデジタル放送受信機で受信され、ディスプレイ上で表示中の映像に重ねて表示される。通常の受信機では、ディスプレイの左下、あるいは右下に一定の表示領域を設けて表示するようにしており、これによってユーザが視聴中のプログラムにあまり大きな影響を与えないようにしている。また、自動表示メッセージは、一定時間が経過すると自動的に消去されるものもある。また、自動表示メッセージには、ディスプレイ上に表示する場合と、音声によって表示する場合がある。
【０００４】
自動表示メッセージを受信可能なデジタル放送受信機として、例えば特許文献１には、デジタル放送された広告情報を受信して映像と音声によって表示するデジタル放送受信機が開示されている。また、特許文献２では、放送局から送信されてくる自動表示メッセージを分離取得して、特定のキャラクタがメッセージを音声で読み上げる受信機を開示している。その他、衛星、地上波デジタル放送を特に対象としたものではないが、情報提供者から送信される自動表示メッセージを、メッセージの種類毎に分類して専用のフォルダに保存するようにしたもの（例えば、特許文献３）、メッセージ内容の概略をアイコンで表示させるようにしたもの（特許文献４）、メッセージを表示して一定の時間が経過するとメッセージを自動消去するようにしたもの（特許文献５、６）、さらに、緊急情報などの送信者側でメッセージの消去が不可として設定されたものには、所定のマークをつけるようにしたもの（特許文献７）などがある。
【０００５】
【特許文献１】特開２００４−２０１３４３
【特許文献２】特開２００４−５６２２６
【特許文献３】特開２００１−４５５３０
【特許文献４】特開２００１−１３６５５６
【特許文献５】特開２０００−２４４９５８
【特許文献６】特開２０００−２２４６３１
【特許文献７】特開２００４−１１０８３２
【発明の開示】
【発明が解決しようとする課題】
【０００６】
上述したように、衛星および地上デジタル放送の自動表示メッセージ受信に関して、種々の技術が開発されているが、それらは何れも家庭用のデジタルテレビ受信機を念頭に置いたものである。車載用のデジタルテレビ受信機は家庭用の受信機とは操作系が異なり、また、画面も家庭用に比べて相当小さいため、家庭用の受信機に対して開発された上記のような技術を適用して自動表示メッセージを表示しようとすると、ユーザにとって使い勝手が悪いものとなる。
【０００７】
例えば、図１の（ａ）に示すように、家庭用のデジタルテレビであれば比較的大きな表示画面１０が確保できるため、自動表示メッセージは画面の片隅の領域１２に配置でき、表示されている映像に大きな影響を与えない。一方、図（ｂ）に示すように、表示画面１４が小さい場合、メッセージの読みやすさを確保するためにフォントのサイズをあまり小さくできない関係上、メッセージの表示領域１６が表示画面１４の大きな部分を占めることとなる。その結果、ユーザはプログラムの視聴を妨げられ、不快な思いをする。
【０００８】
また、車載用のテレビ受信機では、走行中に映像、文字の表示ができない仕様となっている。そのため、自動表示メッセージの表示に特別な工夫が必要である。
【０００９】
本発明は、従来の車載用デジタル放送受信機における上記のような問題点に関してなされたもので、自動表示メッセージを効果的にユーザに提示することができる、車載用デジタル放送受信機を提供することを課題としてなされたものである。
【課題を解決するための手段】
【００１０】
上記課題を解決するために、本発明では、放送局側で指定された自動表示メッセージを含むデジタル放送を受信する車載用デジタル放送受信機において、前記自動表示メッセージを受信すると表示画面を分割し、分割画面の一方に自動表示メッセージの受信を示す表現を表示させる表示制御部を備えるようにしている。
【００１１】
また、前記表示制御部は、当該受信機を搭載した車両が停止状態にある場合にのみ、受信したメッセージ内容の前記分割画面上への表示を許可する構成とされている。
【００１２】
さらに、前記制御部は、当該受信機を搭載した車両が走行状態にある場合、受信したメッセージ内容を音声案内する構成を有する。
【発明の効果】
【００１３】
本発明の車載用デジタル放送受信機では、自動表示メッセージを受信すると、表示画面を分割して分割された一方の画面上に自動表示メッセージを受信したことを知らせる表示を行う。そのため、分割された他方の表示画面上に受信中の通常のプログラムを表示することが可能であり、ユーザは受信中の通常のプログラムの視聴を妨害されることなく、自動表示メッセージの受信を知ることができる。また、この車載用デジタル放送受信機を搭載した車両が走行中でない場合のみ、受信内容の詳細を表示することが可能とされているため、メッセージ受信によってユーザの運転操作に影響を及ぼさない。車両の走行中は、メッセージ内容を音声によって案内することによって、ユーザは必要な情報を効果的に獲得することができる。
【発明を実施するための最良の形態】
【００１４】
図２は、本発明の１実施形態に係る車載用デジタル放送受信機の概略構成を示すブロック図である。デジタル放送受信機１は、アンテナ２からの受信信号が入力されるチューナ１０２、復調部１０４、トランスポートデコード（ＴＳデコード）部１０６、音声デコード部１０８、映像デコード部１１０、提示処理部１１２、ＣＰＵ１１４、ＲＯＭ１１６、ＲＡＭ１１８および入出力処理部（Ｉ／Ｏ）１２０を有し、これらの各部は図示するようにＣＰＵバス１２２によって相互に接続されている。音声デコード部１０８の出力は外部スピーカ３に接続され、映像デコード部１１０の出力は提示処理部１１２を介して外部ディスプレイ４に接続されている。また、受信機１は、カーナビゲーション装置５と接続され、カーナビゲーション装置５上でなされた操作を受け付け、あるいはカーナビゲーション装置５上に自動表示メッセージを表示するようにしても良い。
【００１５】
図２に示す車載用デジタル放送受信機１において、アンテナ２、チューナ１０２および復調部１０４を介して選択された放送局のプログラムが受信されると、ＴＳデコード部１０６において受信信号中の映像データと音声データがそれぞれ分離され、映像データは映像デコード部１１０に、音声データは音声デコード部１０８に送信されてそこでデコードされる。音声デコード部１０８でデコードされた音声データは、外部スピーカ３において音声に変換される。映像デコード部１１０でデコードされた映像データは、提示処理部１１２を介して外部ディスプレイ４に提供され映像として表示される。
【００１６】
Ｉ／Ｏ部１２０では、ユーザのリモコン（図示せず）操作を受け付け、あるいは、ディスプレイ４に設けた例えばタッチパネルによるキー操作、カーナビゲーション装置５におけるキー操作を受信機１に入力する。さらに、受信機１で受信したデータあるいは処理されたデータをカーナビゲーション装置５に出力する場合もある。ＲＡＭ１２０はバックアップメモリ、ＲＯＭ１１６はＣＰＵ１１４での処理手順を書き込んだプログラムを記憶しているメモリである。
【００１７】
次に、本発明の目的である自動表示メッセージの表示処理について説明する。自動表示メッセージは、受信された信号中にテキストデータとして含まれており、ＴＳデコード部１０６で分離され、ＣＰＵバス１２２を介してＣＰＵ１１４に入力され、ここで種々の処理を受けた後、提示処理部１１２に出力されて映像デコード部１１０からの映像データと合成され、ディスプレイ４において表示される。自動表示メッセージデータを処理するためのプログラムは、ＲＯＭ１１６に書き込まれている。また、自動表示メッセージデータを処理する上での種々のデータは、ＲＡＭ１１８に一時的にバックアップされる。
【００１８】
図３は、本発明の一実施形態に係る自動表示メッセージの表示例を示す。車載用テレビ受信機などの比較的サイズの小さいディスプレイ４の表示画面４０２において、図（ａ）に示すように通常のプログラムを受信し表示している場合、放送局から送信される自動表示メッセージを受信すると、図（ｂ）に示すように、表示画面４０２を分割し、分割画面４０２ａに通常のプログラムを表示し、分割画面４０２ｂに「放送局からのお知らせ」あるいは「放送局からメッセージ受信」等の、自動表示メッセージを受信したことを示す表現４０４を表示する。同時に「詳細」釦４０６を表示する。この「詳細」釦４０６はタッチ釦であっても良く、あるいは、ナビゲーション装置５に設けられた制御釦を利用するものであっても良い。ユーザが「詳細」釦４０６を押下すると、図（ｃ）に示すように分割画面４０２ｂ上にメッセージ内容と「戻る」釦４０８が表示される。
【００１９】
ユーザがメッセージ内容を確認し、その上で表示の継続が必要ないと判断すると、「戻る」釦を押下する。これによって、図（ｄ）に示すように、画面の分割が解除され、通常のプログラム表示画面に戻る。あるいは、ユーザが「戻る」釦を押下することなく一定時間が経過すると、自動的に図（ｄ）に示す通常の表示画面に復帰するようにしても良い。図（ｂ）に示す「詳細」釦４０６の場合も同様に、一定時間釦の押下がないと、ユーザがメッセージ内容の確認を希望しなかったものとして、図（ｄ）に示す通常の表示画面に自動的に復帰するようにしても良い。
【００２０】
このように、本実施形態では、放送局からの自動表示メッセージを受信すると表示画面の分割を行い、一方に通常のプログラムを継続して表示し、他方の画面に自動表示メッセージを受信したことを表示するようにしている。そのため、ユーザは通常のプログラムの視聴を妨害されることなく自動表示メッセージの受信を知ることができる。また、メッセージ内容の詳細は、ユーザがその詳細を知ることを望んだ場合にのみ表示されるので、ユーザにとって非常に使い勝手が良いものとなる。
【００２１】
なお、放送局から送信される自動表示メッセージには、ユーザ操作によって消去可能でないものもある。例えば、図４（ａ）に示すように、自動表示メッセージが重要な気象警報などに関するものであり、ユーザに注意を促すために継続した表示が必要な場合には、放送局側でメッセージを消去できないようにする制御信号が含まれている。その場合には、図（ｂ）に示すように、ユーザが「戻る」釦を押した場合でも、「消去不可」のアイコン４１０を表示してメッセージの表示を継続する。
【００２２】
図５および６は、図２のＲＯＭ１１６に書き込まれているプログラムにしたがって、図３および４に示す表示処理を行う場合の制御フローの一例を示す。図５において、丸印で囲まれた数字は、図６のフローの丸印で囲まれた同じ数字に繋がることを示している。図５および６の処理フローは、例えば一定の時間ごとに自動的に繰り返されるものであっても良い。自動表示メッセージのフローが開始されると（ステップＳ０）、システムはまず、放送局から受信した信号中に自動表示メッセージが含まれているか否かを検出する（ステップＳ２）。この検出は、ＴＳデコード部１０６で自動表示メッセージに関するデータがデコードされＣＰＵ１１４に出力されるか否かによって判断される。
【００２３】
自動表示メッセージが含まれている場合（ステップＳ２のＹＥＳ）、ステップＳ４で受信した自動表示メッセージが既読メッセージであるか否かを検出する。この検出は、過去に受信した自動表示メッセージを一時的に保存するＲＡＭ１１８を検索することによって実施される。自動表示メッセージが既読メッセージでない場合、即ち新着メッセージである場合（ステップＳ４のＮＯ）には、ステップＳ６で画面を分割する処理を行い、一方の分割画面上に、例えば「放送局からのお知らせ」などの、自動表示メッセージを受信したことを示す表示を行う。同時に「詳細」釦を表示する。
【００２４】
次のステップＳ８では、ユーザによる「詳細」釦の押下が予め設定した時間内にあったか否かが検出される。ユーザが「詳細」釦を押下すると（ステップＳ８ＹＥＳ）、ステップＳ１０で当該車両が走行中であるか否かが判定される。車両が走行中であるか否かの検出は、車速センサおよびパーキングブレーキの状態に基づいて行われる。即ち、車速センサによって検出された車両の走行スピードが例えば時速８ｋｍ未満である場合、あるいは、パーキングブレーキがオンである場合、車両が走行状態でない、即ち停車中であると判断される。ステップＳ１０でＮＯの場合（車両が走行中でない場合）は、図６のステップＳ１２に移動し、分割画面上に受信したメッセージ内容と「戻る」釦を表示する。
【００２５】
次に、ステップＳ１４でユーザによる「戻る」釦の押下が予め設定した時間内にあったか否かが判定される。釦の押下があった場合（ステップＳ１４のＹＥＳ）、ステップＳ１６において、受信したメッセージが放送局側でユーザによる消去不可能メッセージとして指定されているものかどうかが検出される。受信したメッセージが消去可能メッセージである場合（ステップＳ１６のＹＥＳ）、ステップＳ１８において、表示されたメッセージ内容を消去すると共に、画面分割を終了して通常画面に復帰し、プログラムの表示を継続する。一方、受信したメッセージがユーザによる消去可能メッセージではない場合（ステップＳ１６のＮＯ）、ステップＳ２０で分割画面上に「消去不可」のアイコンを表示し、メッセージ内容の表示を継続したまま処理を終了する（ステップＳ２２）。なお、消去不可メッセージは、放送局から消去不可の解除信号が送信された場合に自動的に消去される。
【００２６】
ステップＳ８で、ユーザが予め設定した時間内に「詳細」釦を押下しなかった場合、ユーザがメッセージ内容の確認を希望しなかったものと判断し、ステップＳ２４で一定時間の経過を確認した後、ステップＳ１８に移動して分割画面を終了し、通常画面を継続する。また、ステップＳ１４で一定時間内にユーザによる「戻る」釦の押下がない場合（ステップＳ１４のＮＯ）、ステップＳ２６で一定時間の経過を確認した後、ステップＳ２８でそのメッセージが消去可能メッセージであるか否かが判定され、消去可能メッセージである場合（ステップＳ２８のＹＥＳ）はステップＳ１８に移動して分割画面を終了し、視聴中のプログラムを継続して表示する処理を行う。ステップＳ２８で、消去不可能メッセージであると判断されると（ステップＳ２８のＮＯ）、ステップＳ２２に移行し分割画面上にメッセージ内容を表示したまま処理を終了する。上述したように、消去不可メッセージは、放送局から消去不可の解除信号が送信された場合に自動的に消去される。
【００２７】
ステップＳ２で自動表示メッセージを受信しなかった場合（ステップＳ２のＮＯ）およびステップＳ４で受信した自動表示メッセージが既読メッセージであると判定された場合（ステップＳ４のＹＥＳ）、ステップＳ２２に移行してそのまま処理を終了する。
【００２８】
図７および図８はそれぞれ、図５、６に示す実施形態の他の実施形態を示す。図７の実施形態では、図５のステップＳ１０において車両が走行中であると判定された場合（ステップＳ１０のＹＥＳ）に、合成音声によってメッセージ内容を読み上げ（ステップＳ３０）、その後ステップＳ１８に移行して、分割画面を終了し通常画面に復帰する形態を示している。このようにすることによって、ユーザは走行中であってもメッセージ内容を確認することができる。
【００２９】
図８の実施形態では、図５のステップＳ４で、受信したメッセージをＲＡＭ１１８に保存された記録と参照することによって、そのメッセージが既読メッセージであると判断した場合（ステップＳ４のＹＥＳ）、画面を分割表示し、分割画面上に、表示枠の色を変えて「放送局からのお知らせ」を表示し、さらに「詳細」釦を表示する（ステップＳ３２）例を示している。ステップＳ３２が実行されると、ステップＳ８に戻る。なお、ステップＳ３２で、表示枠の色をステップＳ６の表示枠とは異なる色とする代りに、「放送局からのお知らせ」を表示する分割画面の色をステップＳ６の場合の分割画面の色と異ならせるようにしても良い。このようにすることによって、ユーザは既読メッセージであっても、その内容を再確認することが可能となる。
【００３０】
なお、図５および６のフローチャートでは示していないが、ステップＳ１８で消去した自動表示メッセージをバックアップメモリ（ＲＡＭ１１８）に保存しておき、ユーザが希望した場合に再読込みが可能なように構成しても良い。また、バックアップメモリに自動表示メッセージが保存されている放送局の一覧を、図５のステップＳ６で表示された「詳細」釦の押下によって表示し、ユーザの選択を可能とする構成としても良い。あるいは、自動表示メッセージが保存されている放送局をアイコン表示するようにしても良い。さらに、図５のステップＳ８で「詳細」釦が押下された場合、メッセージ内容を画面上にテキスト表示することなく、自動的に音声で読み上げる構成としても良い。
【図面の簡単な説明】
【００３１】
【図１】従来の受信機におけるメッセージ表示を説明するための図。
【図２】本発明の一実施形態にかかる車載用デジタル放送受信機の概略構成を示すブロック図。
【図３】本発明の一実施形態にかかるメッセージ表示の一例を示す図。
【図４】本発明の一実施形態にかかるメッセージ表示の他の例を示す図。
【図５】本発明の一実施形態にかかる表示メッセージ処理フローの前段の部分を示す図。
【図６】図５の処理フローの後段の部分を示す図。
【図７】本発明の他の実施形態を示す図。
【図８】本発明のさらに他の実施形態を示す図。
【符号の説明】
【００３２】
１    車載用デジタル放送受信機
２    アンテナ
３    スピーカ
４    ディスプレイ
５    カーナビゲーション装置
４０２    表示画面
４０２ａ、４０２ｂ    分割画面
【図１】
2008066768.tif 000003
【図２】
2008066768.tif 000004
【図３】
2008066768.tif 000005
【図４】
2008066768.tif 000006
【図５】
2008066768.tif 000007
【図６】
2008066768.tif 000008
【図７】
2008066768.tif 000009
【図８】
2008066768.tif 000010